(57)【要約】【課題】製造コストが大幅に低降され、操作使用が簡便なハードディスク用の外部接続ボックスを提供する。【解決手段】アウターボックス１、回路基板２、及びベースプレート３などの要素から形成される。アウターボックス１は、中空のボックス形状で、低い弾性係数値の非剛性材質を採用し、一体化構成され、選定側に、一つの開口１１が設けられる。回路基板２は、電気のコネクター２１、ハードディスクのコネクター２２、接続ポート２３、及び他の必要な電子素子２４から組成され、外部接続タイプのハードディスク５の挿入、接続ができる。ベースプレート３は、回路基板２と、一体化構成され、又は別に結合されるプレートであり、外部接続タイプのハードディスク５を締め付ける。【選択図】図１
0003125297.tif 000002
【実用新案登録請求の範囲】
【請求項１】
ハードディスク用の外部接続ボックスにおいて、
アウターボックスと、回路基板と、ベースプレートと、を備え、
アウターボックスは、中空のボックス形状であって、弾性係数値の低い非剛性材質からなり、一体化構成され、所定の位置に開口が設けられ、回路基板の特定ユニットに対応する部位に複数の貫通孔があり、
回路基板の板面には、外部電源供給用の電気コネクター、ハードディスクのコネクター、連結ポート、及び必要な電子素子があり、ハードディスクのコネクターには外部接続タイプのハードディスクを挿入及び接続可能であり、
ベースプレートは、回路基板から突出して一体に構成され、
アウターボックスの開口から回路基板及びベースプレートが挿入可能に形成されていることを特徴とするハードディスク用の外部接続ボックス。
【請求項２】
アウターボックスは、シリコンゴム、ゴム、またはＰＶＣの弾性係数値の低い非剛性材質からなることを特徴とする請求項１に記載のハードディスク用の外部接続ボックス。
【請求項３】
開口は、アウターボックスの前端又は後端の少なくともいずれか一方に設けられることを特徴とする請求項１に記載のハードディスク用の外部接続ボックス。
【請求項４】
開口は、アウターボックスの広い一端又は両側に設けられることを特徴とする請求項１に記載のハードディスク用の外部接続ボックス。
【請求項５】
ベースプレートは、独立したもう一枚プレートから構成、又は前記回路基板の一端に結合して構成されることを特徴とする請求項１に記載のハードディスク用の外部接続ボックス。
【請求項６】
回路基板に、殻体カバーを設け、殻体カバーは底面に複数の支持柱を持つプレートから構成され、回路基板を覆うことを特徴とする請求項１に記載のハードディスク用の外部接続ボックス。
【考案の詳細な説明】
【技術分野】
【０００１】
本考案はハードディスク（hard disk）用の外部接続ボックス（box）に関するものであり、特に、低い弾性係数値のアウターボックス（outer box）を具有し、削り防止、滑り止めなどの効果を持つハードディスク用の外部接続ボックスに関する総体構造設計を指す。
【背景技術】
【０００２】
従来から、既知のハードディスク用の外部接続ボックスは通常、レッブトップ（lab top）に合わせて使用される。外部接続ボックスの中に設けるハードディスクは、外部接続ボックスの設計されるコネクター（connector）ポート（例えば、ユニバーサルシリアルバス（universal serial bus）ＵＳＢ、ハードディスクバス（hard disk bus）ＳＡＴＡ）、及び他の必要な電子素子、回路などを経由して、レッブトップ又はパーソナルコンピューター（personal computer）の主機と連結でき、大量のデータ（data）の伝送、セーブ（save）、アクセス（access）などの作業を行う。ゆえに、ハードディスク用の外部接続ボックスはレッブトップの不可欠な周辺設備の一つだと分かる。
【０００３】
しかし、従来から、既知のハードディスク用の外部接続ボックスはアルミニウム（aluminum）合金、アルミニウムとマグネシウム（magnesium）との合金、硬質プラスチック（plastic）など高い弾性係数の剛性材質から作られる。アルミニウム合金、及びアルミニウムとマグネシウムとの合金を採用し、外部接続ボックスのアウターボックスとするのは構造のアセンブリ（assembly）にとって必要である。しかし、外部接続ボックスの組立のときに、恒にアセンブリ作業の繁雑を招いて、改善しなければならない。また、外部接続ボックスのアウターボックスは滑り止めの特性がないので、他の滑り止めパッドの設計を追加しないと、使用のときに、ハードディスクの保護が確保できない。したがって、相対的に、総体構造の設計、製造、アセンブリ、実際の応用動作などを繁雑させ、コスト（cost）の低降、軽量精巧、利便など効果が得られなかった。
【０００４】
現今、電子３Ｃ製品の流行文化では多様化の趨勢があるので、ユーザ（user）、特にコンピューター（computer）の賞玩者又は雅致者などのユーザは、常に操作簡易、クール（cool）なもの、普通品と異なる電子製品を愛用する。結局、従来から既知の単調なハードディスク用の外部接続ボックスは客観的な消費市場のニーズに満足できず、新しい形態のハードディスク用の外部接続ボックスの登場が期待される。
【考案の開示】
【考案が解決しようとする課題】
【０００５】
したがって、本考案の主な目的はハードディスク用の外部接続ボックスを提供することにある。構造改良の設計を経由して、ハードディスク用の外部接続ボックスの構造はもっと精巧簡易になり、アセンブリも簡便になる。特に、ハードディスク用の外部接続ボックスの総体設計を経由し、製造コストは大幅に、低降され、操作使用も簡便になり、多重の効果を向上させる。
本考案のもう一つの目的はハードディスク用の外部接続ボックスを提供することにある。その回路基板に、殻体カバー（cover）を設ける。それで、アウターボックスの回路基板における部位の凹みを防止するばかりでなく、回路基板にも、放熱の空間を持つ。
【０００６】
前掲の目的により、本考案の実施内容は主に、アウターボックス、回路基板、及びベースプレート（base）など要素から形成される。一方、アウターボックスは中空のボックス形状で、低い弾性係数値の非剛性材質を採用し、一体化構成される。また、アウターボックスの選定側に、一つの開口が設けられる。回路基板は、電気のコネクター、接続ポート及び他の必要な電子素子から組成され、外部接続タイプ（type）のハードディスクの挿入、接続ができる。ベースプレート（base plate）は回路基板と、一体化構成され、又は別に、結合されるプレート（plate）であり、外部接続タイプのハードディスクを締め付ける。そのような組成で、アウターボックスの開口の開閉を経由し、外部接続タイプのハードディスクを覆って、削り防止、滑り止め及び他の効果を持つハードディスク用の外部接続ボックスは形成される。
【課題を解決するための手段】
【０００７】
以上の問題を解決するために、本考案のハードディスク用の外部接続ボックスは主に、アウターボックス、回路基板及びベースプレートなどの要素から形成される。一方、アウターボックスは中空のボックス形状で、低い弾性係数値の非剛性材質を採用し、一体化構成される。また、アウターボックスの選定側に、一つの開口が設けられる。回路基板は、電気のコネクター、接続ポート、及び他の必要な電子素子から組成され、外部接続タイプのハードディスクの挿入、接続ができる。ベースプレートは、回路基板と、一体化構成され、又は別に結合されるプレートであり、外部接続タイプのハードディスクを締め付ける。そのような組成で、アウターボックスの開口の開閉を経由し、外部接続タイプのハードディスクを覆って、削り防止、滑り止め及び他の効果を持つハードディスク用の外部接続ボックスは形成される。
【考案を実施するための最良の形態】
【０００８】
本考案の目的、特徴を遂げて、採用される技術手段及び効果などをご了解いただくために、以下、さらに具体的な実施例を図面とともに詳しく説明してみよう。
図面に示すように、本考案の一実施例によるハードディスク用の外部接続ボックスは主に、アウターボックス１、回路基板２、ベースプレート３などの要素から形成される。ニーズに応じて、殻体カバー４を追加してもよい。
【０００９】
アウターボックス１は図１、図５、及び図６に示すように、中空のボックスの形状であり、低い弾性係数値の非剛性材質を採用し、一体化構成される。例えば、シリコンゴム（Silicone Rubber）、ゴム（Rubber）、ＰＶＣなど、いわゆるペクチン（pectin）を使う。アウターボックス１の選定側に、一つの開口１１がある。図１に示すように、開口１１を一端に設けてもよいし、図５に示すように、開口１１を両端にもうけてもよいし、図６に示すように、開口１１を広い側に設けてもよい。勿論、正面又は底面に設けてもよい。ユーザはアウターボックス１の開口１１を経由して、前掲のコンポーネント（component）及びハードディスク５を入れる。アウターボックス１は、回路基板２の対応する特定ユニット（unit）の部位に、いくつかの貫通孔１２、１３が配置され、挿入、接続の部位とする。
【００１０】
回路基板２は図１から図３に示すように、板面に、外部電源供給用の電気コネクター２１、ハードディスクのコネクター２２（例えば、ＩＤＥインターフェース）、連結ポート（port）２３（例えばユニバーサルシリアルバスＵＳＢ、ハードディスクバスＳＡＴＡ）、必要な電子素子２４（例えば制御チップ、スターター）などがある。それで、外部接続タイプのハードディスク５をハードディスクのコネクター２２に挿入、接続する。
【００１１】
ベースプレート３は図１に示すように、外部接続タイプのハードディスク５を締め付けるプレートである。それは前掲の回路基板２の余分な回路基板２から突出すように一体化構成される。挿入、接続した外部接続タイプのハードディスク５をさらにベースプレート３に締め付ける。図４に示すように、本実施例のベースプレート３は独立したもう一枚プレートを採用してもよいし、述べた回路基板２の一端に結合して構成されてもよい。
【００１２】
殻体カバー４は図１及び図２にしめすように、本実施例のオプションコンポーネント（option component）である。それは底面に複数の支持柱４１を持つプレートである。Π形状のカバーを採用してもよいし、構造の形状は限られない。剛性のプラスチック材料で、透明又は非透明形状で構成してもよい。それで、回路基板２に覆う。回路基板２の電気コネクター２１、ハードディスクのコネクター２２、連結ポート２３、及び必要な電子素子２４の上方に、一定の高さの放熱空間がある。
【００１３】
上述したアウターボックス１、回路基板２、ベースプレート３、及び殻体カバー４の総体構造設計を経由して、本実施例のハードディスク用の外部接続ボックスは組成される。ユーザは外部接続タイプのハードディスク５をハードディスクのコネクター２２に挿入すると同時に、ベースプレート３にも締め付ける。さらに、上述のハードディスク用の外部接続ボックスにおける開口１から、回路基板２、ベースプレート３、殻体カバー４、及び外部接続タイプのハードディスク５（図２及び図３参照）をアセンブリしたあとで、レッブトップ又はパーソナルコンピューターの主機と連結できるハードディスク用の外部接続ボックスは出来上がる。実際の応用方式は外部の電源ワイヤ（wire）を電気コネクター２１に接続する。しかも、一本の信号ワイヤで、連結ポート２３とレッブトップ又はパーソナルコンピューターの主機との間に挿入、接続すると、大量のデータの伝送、セーブ、アクセスなど作業を行うことができる。
【００１４】
（考案の効果）
本実施例のアウターボックス１において、前掲の開口１１を経由して、ユーザが外部接続タイプのハードディスク５をアセンブリするので、設計、製造コストを大幅に低降させ、アセンブリ動作も利便かつ簡易となる。その次、アウターボックス１が低い弾性係数値の非剛性材質を採用し、一体化構成されるので、ハードディスク用の外部接続ボックスは削りとめの効果を具有し、水平に机に放置して使うときに、滑り止めの効果も生じる。そうすると、外界の破壊要因を低降し、外部接続タイプのハードディスク５の使用寿命及び運転しているうちの安定性も確保される。その他、アウターボックス１は全体透明状を採用してもよいし、ハードディスクの規格が直視できるので、コンピューター賞玩者のたしなみに特に適用できる。
【図面の簡単な説明】
【００１５】
【図１】本考案の一実施例によるハードディスク用の外部接続ボックスを示す分解斜視図である。
【図２】本考案の一実施例によるハードディスク用の外部接続ボックスを示す断面図である。
【図３】本考案の他の実施例によるハードディスク用の外部接続ボックスを示す断面図である。
【図４】本考案のさらに他の実施例によるハードディスク用の外部接続ボックスを示す分解斜視図である。
【図５】本考案の一実施例に係るアウターボックスの応用例を示す斜視図である。
【図６】本考案の一実施例に係るアウターボックスの他の応用例を示す斜視図である。
【符号の説明】
【００１６】
１  アウターボックス、１１  開口、１２  貫通孔、１３  貫通孔、２  回路基板、２１  電気のコネクター、２２  ハードディスクのコネクター、２３  接続ポート、２４  電子素子、３  ベースプレート、４  殻体カバー、１１  支持柱、５  外部接続タイプのハードディスク
【図１】
0003125297.tif 000003
【図２】
0003125297.tif 000004
【図３】
0003125297.tif 000005
【図４】
0003125297.tif 000006
【図５】
0003125297.tif 000007
【図６】
0003125297.tif 000008